(57)【要約】【課題】  ワイドビュー表示の際に、表示領域及び記録領域のそれぞれに対して最適なモードを設定する撮像装置を提供する。【解決手段】  撮像装置は、被写体像を結像させる撮像素子と、撮像素子の領域のうち、第１の領域を含み、第１の領域より広い第２の領域の画像を表示部に表示する表示制御手段と、第１の領域の画像を記録部に記録する記録制御手段と、第１の領域の画像に対する第１のモード、及び、第２の領域の画像に対する第２のモードを設定するモード設定手段とを有する。【選択図】図２
2010074569.tif 000002
【特許請求の範囲】
【請求項１】
被写体像を結像させる撮像素子と、
前記撮像素子の領域のうち、第１の領域を含み該第１の領域より広い第２の領域の画像を表示部に表示する表示制御手段と、
前記第１の領域の画像を記録部に記録する記録制御手段と、
前記第１の領域の画像に対する第１のモード、及び、前記第２の領域の画像に対する第２のモードを設定するモード設定手段と、を有することを特徴とする撮像装置。
【請求項２】
前記モード設定手段は、前記記録制御手段が前記第１の領域の画像を記録するとき、前記第２のモードから前記第１のモードへ変更し、
前記記録制御手段は、前記第１のモードで得られた前記第１の領域の画像を前記記録部に記録することを特徴とする請求項１記載の撮像装置。
【請求項３】
前記モード設定手段は、操作手段の半押し操作に従い、前記第２のモードから前記第１のモードへ変更し、
前記記録制御手段は、前記操作手段の全押し操作に従い、前記第１のモードで得られた前記第１の領域の画像を前記記録部に記録することを特徴とする請求項１又は２記載の撮像装置。
【請求項４】
前記モード設定手段は、前記第１のモードとして前記第１の領域の画像に対する第１の露出値を設定し、前記第２のモードとして前記第２の領域の画像に対する第２の露出値を設定することを特徴とする請求項１乃至３のいずれか一に記載の撮像装置。
【請求項５】
前記モード設定手段は、前記第１のモードとして前記第１の領域の画像に対する第１のホワイトバランス値を設定し、前記第２のモードとして前記第２の領域の画像に対する第２のホワイトバランス値を設定することを特徴とする請求項１乃至３のいずれか一に記載の撮像装置。
【請求項６】
前記モード設定手段は、前記第１のモードとして前記第１の領域の画像に対する第１のゲインを設定し、前記第２のモードとして前記第２の領域の画像に対する第２のゲインを設定することを特徴とする請求項１乃至３のいずれか一に記載の撮像装置。
【請求項７】
撮像素子の領域のうち、第１の領域の画像を含み、前記第１の領域の画像より広い第２の領域の画像を表示部に表示するステップと、
前記第２の領域に対するモードを設定するステップと、
前記第２の領域に対するモードから前記第１の領域に対するモードに変更するステップと、
前記第１の領域に対するモードで得られた前記第１の領域の画像を記録部に記録するステップと、を有することを特徴とする撮像装置の制御方法。
【発明の詳細な説明】
【技術分野】
【０００１】
本発明は、デジタルカメラ等の撮像装置及びその制御方法に係り、特に、記録領域より広い領域の画像を表示部に表示する撮像装置及びその制御方法に関する。
【背景技術】
【０００２】
従来、デジタルカメラは、撮像素子に結像された画像をカメラ本体に設けられたビューファインダの表示画面に表示させながら、ユーザが所望するタイミングで撮像した静止画像を、順次メモリカード等に記録するように構成されている。
【０００３】
このようなデジタルカメラには、例えば、ユーザの操作に応じて、光学ブロック内のレンズ系を制御しながら被写体の撮像範囲を所望の倍率にズームイン又はズームアウトさせる光学ズーム機能を搭載したものがある。また、撮像素子に結像された画像の一部を、所定の画像処理を施して補間及び拡大処理させる電子ズーム機能を搭載したデジタルカメラも提案されている。
【０００４】
ところで、ユーザが上述の電子ズーム機能を用いて撮像する場合、被写体が静止状態であれば、所望の倍率でズームインした場合でも被写体を容易に撮像範囲内に捉えることができる。しかしながら、例えば、運動会やスポーツ観戦等の比較的動きの速い被写体にズームインする場合、被写体を常に撮影範囲内に捉えるように追従させるのは困難である。
【０００５】
この問題に対し、撮像素子の領域のうち画像記録に用いられない周辺領域を使用して、ビューファインダの表示画面に記録画像の周辺領域も同時に表示する方法（以下、「ワイドビュー機能」という。）が提案されている（特許文献１、２）。ワイドビュー機能を用いれば、動きの速い被写体を、撮像範囲内に捉えるように追従させることが比較的容易となる。
【特許文献１】特開２００６−１９８８２号公報
【特許文献２】特開２００６−１４２２１号公報
【発明の開示】
【発明が解決しようとする課題】
【０００６】
ところで、ワイドビュー機能を用いて撮影を行う場合、ビューファインダの表示画面で、被写体の周辺の状況を把握しやすく表示する必要がある。一方、記録画像についても、適切な露出となることが望まれる。
【０００７】
例えば、周辺に対して明るい被写体をワイドビュー機能を用いて撮像するとき、ビューファインダの表示領域全体での最適な露出制御を行うと、この露出で撮像された記録画像は、露出オーバーとなってしまう（図５（ａ）参照）。また、記録領域内での最適な露出制御を行うと、記録画像は適正露出となるが、ビューファインダの表示画面では、被写体の周辺が暗くなりすぎ、表示画面上での状況を把握しにくくなってしまう（図５（ｂ）参照）。
【０００８】
周辺に対して暗い被写体をワイドビュー機能を用いて撮影するときも同様である。ビューファインダの表示領域全体での最適な露出制御を行うと、この露出で撮像された記録画像は、露出アンダーとなってしまう（図６（ａ）参照。）。また、記録領域内での最適な露出制御を行うと、記録画像は適正露出となるが、ビューファインダの表示画面では、被写体の周辺が明るくなりすぎ、表示画面上での状況を把握しにくくなってしまう（図６（ｂ）参照。）。
【０００９】
本発明は、ビューファインダの表示画面（表示領域）及び記録領域のそれぞれに対して最適なモードを設定する撮像装置及び撮像装置の制御方法を提供する。
【課題を解決するための手段】
【００１０】
本発明の一側面としての撮像装置は、被写体像を結像させる撮像素子と、前記撮像素子の領域のうち、第１の領域を含み該第１の領域より広い第２の領域の画像を表示部に表示する表示制御手段と、前記第１の領域の画像を記録部に記録する記録制御手段と、前記第１の領域の画像に対する第１のモード、及び、前記第２の領域の画像に対する第２のモードを設定するモード設定手段とを有する。
【００１１】
また、本発明の他の側面としての撮像装置の制御方法は、撮像素子の領域のうち、第１の領域の画像を含み、前記第１の領域の画像より広い第２の領域の画像を表示部に表示するステップと、前記第２の領域に対するモードを設定するステップと、前記第２の領域に対するモードから前記第１の領域に対するモードに変更するステップと、前記第１の領域に対するモードで得られた前記第１の領域の画像を記録部に記録するステップとを有する。
【００１２】
本発明の他の目的及び特徴は、以下の実施例において説明される。
【発明の効果】
【００１３】
本発明によれば、表示領域及び記録領域のそれぞれに対して最適なモードを設定する撮像装置及び撮像装置の制御方法を提供することができる。
【発明を実施するための最良の形態】
【００１４】
以下、本発明の実施例について、図面を参照しながら詳細に説明する。各図において、同一の部材については同一の参照番号を付し、重複する説明は省略する。
【００１５】
まず、本実施例における撮像装置（画像処理装置）の構成について説明する。図１は、本実施例における画像処理装置のブロック図である。
【００１６】
図1において、１００は画像処理装置である。また、１０は撮影レンズ、１２は絞り機能を備えるシャッター、１４は光学像を電気信号に変換する撮像素子であり、被写体像を結像させる。１６は撮像素子１４のアナログ信号出力をデジタル信号に変換するＡ／Ｄ変換器である。
【００１７】
１８は撮像素子１４、 Ａ／Ｄ変換器１６、 及び、Ｄ／Ａ変換器２６にクロック信号や制御信号を供給するタイミング発生回路である。タイミング発生回路１８は、メモリ制御回路２２及びシステム制御回路５０により制御される。
【００１８】
２０は画像処理回路である。画像処理回路２０は、 Ａ／Ｄ変換器１６からのデータ又はメモリ制御回路２２からのデータに対して、所定の画素補間処理や色変換処理を行う。
【００１９】
また、画像処理回路２０は、撮像した画像データを用いて所定の演算処理を行う。システム制御回路５０は、画像処理回路２０の演算処理により得られた演算結果に基づき、露光制御手段４０及び測距制御手段４２に対して所定の処理を行う。これらの処理には、ＴＴＬ（スルー・ザ・レンズ）方式のＡＦ（オートフォーカス）処理、ＡＥ（自動露出）処理、及び、ＥＦ（フラッシュプリ発光）処理等が含まれるが、これに限定されるものではない。
【００２０】
さらに、画像処理回路２０は、撮像した画像データを用いて所定の演算処理を行い、得られた演算結果に基づいてＴＴＬ方式のＡＷＢ（オートホワイトバランス）処理も行っている。
【００２１】
２２はメモリ制御回路である。メモリ制御回路２２は、Ａ／Ｄ変換器１６、タイミング発生回路１８、画像処理回路２０、画像表示メモリ２４、Ｄ／Ａ変換器２６、メモリ３０、及び、画像圧縮・伸長回路３２を制御する。
【００２２】
Ａ／Ｄ変換器１６から出力されるデータは、画像処理回路２０及びメモリ制御回路２２を介して、画像表示メモリ２４又はメモリ３０に書き込まれる。また、Ａ／Ｄ変換器１６から出力されるデータは、直接にメモリ制御回路２２を介して、画像表示メモリ２４又はメモリ３０に書き込まれることもできる。
【００２３】
２４は画像表示メモリ、２６はＤ／Ａ変換器、２７はＤ／Ａ変換器２６の出力を外部モニタに出力する外部出力コネクタである。外部出力コネクタ２７にコネクタが挿されている場合、システム制御回路５０は、外部出力接続検知手段１０８により外部出力状態を知ることができる。
【００２４】
２８はＴＦＴ−ＬＣＤ等からなる画像表示部である。画像表示メモリ２４に書き込まれた表示用の画像データは、Ｄ／Ａ変換器２６を介して画像表示部２８により表示される。画像表示部２８を用いて、撮像した画像データを逐次表示すれば、電子ファインダー機能を実現することが可能となる。
【００２５】
また、画像表示部２８は、システム制御回路５０の指示により、任意に表示をＯＮ／ＯＦＦすることが可能であり、表示をＯＦＦにした場合には画像処理装置１００の電力消費を大幅に低減することができる。
【００２６】
さらに、画像表示部２８は、回転可能なヒンジ部によって画像処理装置１００本体と結合されている。このため、画像表示部２８は、自由な向きや角度を設定して、電子ファインダー機能や再生表示機能、各種表示機能を用いることが可能である。
【００２７】
また、画像表示部２８は、画像表示部２８の表示部分を画像処理装置１００に向けて格納するように構成可能である。この場合、画像表示部開閉検知手段１０６により、格納状態を検知して画像表示部２８の表示動作を停止することができる。
【００２８】
３０は撮影した静止画像や動画像を格納するためのメモリである。メモリ３０は、所定枚数の静止画像や所定時間の動画像を格納するのに十分な記憶量を備えている。
【００２９】
これにより、複数枚の静止画像を連続して撮影する連射撮影やパノラマ撮影の場合にも、高速かつ大量の画像書き込みをメモリ３０に対して行うことが可能となる。
【００３０】
メモリ３０は、システム制御回路５０の作業領域としても用いられる。また、メモリ３０は、記録媒体２００の書き込みバッファとしても用いられることが可能である。
【００３１】
３２は、適応離散コサイン変換（ＡＤＣＴ）等により画像データを圧縮伸長する画像圧縮・伸長回路である。画像圧縮・伸長回路３２は、メモリ３０に格納された画像を読み込んで圧縮処理又は伸長処理を行い、処理を終えたデータをメモリ３０に書き込む。
【００３２】
４０は絞り機能を備えるシャッター１２を制御する露光制御手段である。露光制御手段４０は、フラッシュ４８と連携することにより、フラッシュ調光機能も備える。
【００３３】
４２は、撮像レンズ１０のフォーカシングを制御する測距制御手段、である。４４は、撮像レンズ１０のズーミングを制御するズーム制御手段、４６はバリアである保護手段１０２の動作を制御するバリア制御手段である。
【００３４】
４８はフラッシュである。フラッシュ４８は、ＡＦ補助光の投光機能及びフラッシュ調光機能を備える。
【００３５】
露光制御手段４０及び測距制御手段４２は、ＴＴＬ方式の処理により制御されている。露光制御手段４０及び測距制御手段４２は、撮像した画像データの画像処理回路２０による演算結果に基づき、システム制御回路５０により制御される。
【００３６】
５０は、画像処理装置１００の全体を制御するシステム制御回路である。５２は、システム制御回路５０の動作用の定数、変数、及び、プログラム等を記憶するシステムメモリである。
【００３７】
５４は、システム制御回路５０でのプログラムの実行に応じて、文字、画像、音声等を用いて動作状態やメッセージ等を表示する液晶表示装置、スピーカー等の表示部である。表示部５４は、画像処理装置１００の操作部近辺の視認しやすい位置に単数又は複数個所設置される。表示部５４は、例えば、ＬＣＤ、ＬＥＤ、発音素子等の組み合わせにより構成される。
【００３８】
また、表示部５４において、その一部の機能は、光学ファインダー１０４の内部に設置されている。
【００３９】
表示部５４の表示内容のうち、ＬＣＤ等には、例えば、シングルショット／連写撮影表示、セルフタイマー表示、圧縮率表示、記録画素数表示、記録枚数表示、及び、残撮影可能枚数表示等が表示される。また、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示等も表示される。さらに、表示部５４は、記録媒体２００の着脱状態表示、通信Ｉ／Ｆ動作表示、及び、日付・時刻表示等も表示する。
【００４０】
また、表示部５４の表示内容のうち、光学ファインダー１０４の内部には、例えば、合焦表示、手振れ警告表示、フラッシュ充電表示、シャッタースピード表示、絞り値表示、露出補正表示等が表示される。
【００４１】
５６は電気的に消去・記録可能な不揮発性メモリである。不揮発性メモリ５６としては、例えば、ＥＥＰＲＯＭが用いられる。
【００４２】
６０、６２、６４及び７０は、システム制御回路５０の各種の動作指示を入力するための操作手段である。これらの操作手段は、スイッチ、ダイアル、タッチパネル、視線検知によるポインティング、音声認識装置等の単数又は複数の組み合わせで構成される。
【００４３】
ここで、これらの操作手段の具体的な説明を行う。
【００４４】
６０は、モードダイアルスイッチである。モードダイアルスイッチ６０は、各機能のモードを切り替え設定することができる。各機能のモードには、電源オフ、自動撮影モード、撮影モード（ワイドビュー、パノラマ撮影、動画撮影等の各モードを含む。）、再生モード、マルチ画面再生・消去モード、ＰＣ接続モードが含まれるが、これらに限定されるものではない。
【００４５】
６２は、シャッタースイッチＳＷ１である。シャッタースイッチＳＷ１は、不図示のシャッターボタンの操作途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。
【００４６】
６４は、シャッタースイッチＳＷ２である。シャッタースイッチＳＷ２は、不図示のシャッターボタンの操作完了でＯＮとなり、撮像素子１４から読み出した信号をＡ／Ｄ変換器１６及びメモリ制御回路２２を介して、一連の処理の動作開始を指示する。これらの処理には、メモリ３０に画像データを書き込む露光処理、及び、画像処理回路２０やメモリ制御回路２２での演算を用いた現像処理が含まれる。また、これらの処理には、メモリ３０から画像データを読み出し、画像圧縮・伸長回路３２で圧縮を行い、記録媒体２００に画像データを書き込む記録処理も含まれる。また、シャッタースイッチＳＷ２は、動画撮影の場合、動画撮影の開始及び停止を指示する。
【００４７】
７０は、各種ボタンやタッチパネル等からなる操作部である。操作部７０には、メニューボタン、セットボタン、マクロボタン、マルチ画面再生改ページボタン、フラッシュ設定ボタン、単写／連写／セルフタイマー切り替えボタンが含まれる。さらに操作部７０には、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時間設定ボタン等が含まれる。
【００４８】
８０は電源制御手段である。電源制御手段８０は、電池検出回路、ＤＣ−ＤＣコンバータ、及び、通電するブロックを切り替えるスイッチ回路等により構成されている。電源制御手段８０は、電池の装着の有無、電池の種類、及び、電池残量の検出を行い、検出結果及びシステム制御回路５０の指示に基づいてＤＣ−ＤＣコンバータを制御し、必要な電圧を必要な期間だけ、記録媒体を含む各部へ供給する。
【００４９】
８２、８４はコネクタである。８６は電源手段である。電源手段８６は、アルカリ電池やリチウム電池等の一次電池、ＮｉＣｄ電池やＮｉＭＨ電池、Ｌｉ電池等の二次電池、ＡＣアダプター等から構成される。
【００５０】
９０は、メモリカードやハードディスク等の記録媒体とのインタフェースである。９２は、メモリカードやハードディスク等の記録媒体と接続を行うコネクタである。９８は、コネクタ９２に記録媒体２００が装着されているか否かを検知する記録媒体着脱検知手段である。
【００５１】
なお、本実施例では、記録媒体を取り付けるインタフェース及びコネクタを１系統持つものとして説明しているが、これに限定されるものではない。記録媒体を取り付けるインタフェース及びコネクタは、単数又は複数のいずれの系統数を備える構成としても構わない。また、異なる規格のインタフェース及びコネクタを組み合わせた構成としても構わない。
【００５２】
インタフェース９０及びコネクタ９２としては、例えば、ＰＣＭＣＩＡカードやＣＦ（コンパクトフラッシュ（登録商標））カード等の規格に準拠したものを用いて構成される。この場合、ＬＡＮカード、モデムカード、ＵＳＢカード、ＩＥＥＥ１３９４カード、Ｐ１２８４カード、ＳＣＳＩカード、ＰＨＳ等の通信カード等の各種通信カードが接続可能である。これにより、他のコンピュータやプリンタ等の周辺機器との間で画像データや画像データに付属した管理情報を転送することができる。
【００５３】
１０２は、画像処理装置１００の撮像レンズ１０を含む撮像部を覆うことにより、撮像部の汚れや破損を防止する保護手段である。
【００５４】
１０４は光学ファインダーである。光学ファインダー１０４は、画像表示部２８による電子ファインダー機能を使用せずに、光学ファインダー１０４のみを用いて撮像することが可能である。また、光学ファインダー１０４の内部には、表示部５４の一部の機能、例えば、合焦表示、手振れ警告表示、フラッシュ充電表示、シャッタースピード表示、絞り値表示、露出補正表示等が設置されている。
【００５５】
１０６は、画像表示部開閉検知手段である。画像表示部開閉検知手段１０６は、画像表示部２８がその表示部分を画像処理装置１００に向けて格納した格納状態にあるか否かを検知する。ここで、画像表示部開閉検知手段１０６は、格納状態にあると検知した場合、画像表示部２８の表示動作を停止して不要な電力消費を禁止する。
【００５６】
１０８は、外部出力接続検知手段である。外部出力接続検知手段１０８は、外部出力コネクタ２７に外部モニタが接続されているか否かを検知する。ここで、外部出力接続検知手段１０８は、接続状態にあると検知した場合、画像表示部２８の代わりに外部モニタを表示装置として用いる。
【００５７】
１１０は通信手段である。通信手段１１０は、ＲＳ２３２Ｃ、ＵＳＢ、ＩＥＥＥ１３９４、Ｐ１２８４、ＳＣＳＩ、モデム、ＬＡＮ、無線通信、等の各種通信機能を備える。
【００５８】
１１２は、通信手段１１０により画像処理装置１００を他の機器と接続するコネクタ又は無線通信の場合のアンテナである。
【００５９】
１１４は、音声データ取得手段としてのマイクである。１１６は、Ａ／Ｄ変換器である。Ａ／Ｄ変換器１１６は、マイク１１４で得られた音声データをシステム制御回路５０で処理するため、Ａ／Ｄ変換を行う。
【００６０】
１１８は、音声データ再生手段としてのスピーカーである。１２０は、Ｄ／Ａ変換器である。Ｄ／Ａ変換器１２０は、システム制御回路５０から出力されるデジタル音声データをスピーカー１１８で再生するため、Ｄ／Ａ変換を行う。
【００６１】
２００は、メモリカードやハードディスク等の記録媒体である。記録媒体２００は、半導体メモリや磁気ディスク等から構成される記録部２０２、画像処理装置１００とのインタフェース２０４、画像処理装置１００と接続を行うコネクタ２０６を備えている。また、記録媒体２００がＰＣＭＣＩＡ規格のＰＣ−ＣａｒｄやＣＦカード等の場合、性能が記憶された情報記憶回路が内蔵されていてもよい。
【００６２】
次に、本実施例における撮像装置及び撮像装置の制御方法について、図２〜図４を参照して説明する。
【００６３】
図２は、本実施例の撮像装置において、ワイドビュー機能を用いた場合の制御を示すフローチャートである。
【００６４】
本実施例の撮像装置では、操作部７０に含まれるズームスイッチ又はその他のスイッチの操作により、ワイドビュー機能が開始される。ワイドビュー機能では、撮像素子１４に結像される画像（第２の領域の画像）のうちの一部の領域の画像（第１の領域の画像）を切り出して、記録部２０２に記録する。このとき、表示部５４には、記録領域（第１の領域）だけでなくその周辺部分を含む領域（第２の領域）も表示される。
【００６５】
このように、システム制御回路５０は表示制御手段としても機能する。このとき、表示制御手段としてのシステム制御回路５０は、撮像素子１４の領域のうち、第１の領域（記録領域）の画像を含み、第１の領域の画像より広い第２の領域（記録領域とその周辺部分）の画像を表示部５４に表示するように制御する。
【００６６】
したがって、ワイドビュー機能を用いて撮像を行えば、動きの速い被写体を撮像範囲内に捉えるように追従させることが比較的容易となる。
【００６７】
ワイドビュー機能を用いる場合、操作部７０に含まれるテレスイッチにより撮像画角を望遠側に変更し、ワイドスイッチにより広角側に変更することができる。システム制御回路５０は、光学ズームで撮像画角を変更する場合、ズーム制御手段４４に撮像レンズ１０の撮像画角の変更を指示する。また、システム制御回路５０は、電子ズームで撮像画角を変更する場合、画像処理回路２０に画像の切り出しや画素補間処理を行うよう指示する。
【００６８】
また、ワイドビュー機能を用いる場合、表示部５４に表示されている画像領域全体（第２の領域）が記録部２０２に記録されるのではなく、表示されている画像領域のうちの一部である記録領域（第１の領域）が記録部２０２に記録される。すなわち、システム制御回路５０は記録制御手段としても機能し、後述の第１のモードで撮像された第１の領域に対応する画像を記録部２０２に記録するように制御する。
【００６９】
表示部５４では、ユーザが記録する画像領域を認識可能なように、記録対象となる画像領域（記録領域：第１の領域）が、例えば枠で囲んで表示される（図３、図４参照。）。
【００７０】
本実施例のワイドビュー機能では、モード設定手段（システム制御回路５０）は、記録制御手段（システム制御回路５０）が第１の領域の画像を記録するとき、第２のモードから第１のモードへ変更する。そして、記録制御手段は、第１のモードで得られた第１の領域の画像を記録部２０２に記録する。
【００７１】
図２に示されるように、まず、ワイドビュー機能を開始すると、システム制御回路５０は、第１の領域の画像を含み、第１の領域の画像より広い第２の領域の画像を表示部５４に表示する。そして、システム制御回路５０は、表示部５４に表示されている画像領域全体（第２の領域）でのＡＥ処理を行う（Ｓ１２０１）。
【００７２】
ここでは、撮像素子１４から読み出した撮影画像データのうち、表示部５４に表示する画像領域のデータを使用してＴＴＬ方式のＡＥ処理を行う。表示領域全体でのＡＥ処理を行うことで、表示領域全体が最適な露出（第２の露出値）となり、周辺に対して明暗差の大きい被写体を撮影する場合でも被写体の周辺の状況を把握しやすく表示できる。
【００７３】
このように、モード設定手段としてのシステム制御回路５０は、表示部５４に表示する画像領域全体（第２の領域）の画像に対する第２のモードを設定する。ここで、第２のモードとして設定される値としては、露出制御用の評価値（第２の露出値）以外に、例えば、ホワイトバランス用の評価値（第２のホワイトバランス値）、又は、ゲイン値（第２のゲイン）等がある。
【００７４】
次に、システム制御回路５０は、シャッタースイッチＳＷ１が押されたか否かを判定し（Ｓ１２０２）、押されていない場合はステップＳ１２０１へ戻る。シャッタースイッチＳＷ１が押されている場合、撮像準備のためのＡＦ処理、ＡＷＢ処理、ＥＦ処理等の各処理を行う。
【００７５】
ＡＥ処理については、表示領域全体のデータを使用するか記録領域内のデータを使用するかを決める（Ｓ１２０３）。これは、予めメニューでどちらの動作になるかを決めておいても良いし、シャッタースイッチＳＷ１が押されている状態で操作部７０の操作により変更できるように構成しても良い。また、カメラモード等により自動で判断して決めるように構成しても良い。
【００７６】
ステップＳ１２０３において、記録領域（第１の領域）内での露出値（第１の露出値）に変更する場合は、記録部２０２に記録する画像領域（記録領域）のデータを使用してＡＥ処理を行う（Ｓ１２０４）。このように、モード設定手段としてのシステム制御回路５０は、記録領域（第１の領域）の画像に対する第１のモードを設定する。ここで、第１のモードとして設定される値としては、例えば、露出制御用の評価値（第１の露出値）以外に、ホワイトバランス用の評価値（第１のホワイトバランス値）、又は、ゲイン値（第１のゲイン）等がある。
【００７７】
また、システム制御回路５０は、その結果を表示部５４の表示に反映し、ステップＳ１２０６へ進む。このように、システム制御回路５０は、シャッタースイッチＳＷ１の操作（操作手段の半押し操作）に従い、第２の領域の画像に対する第２のモードから第１の領域の画像に対する第１のモードへ変更する。
【００７８】
一方、記録領域内での露出に変更しない場合、表示領域全体（第２の領域）でのＡＥ処理が行われた状態のまま、ステップＳ１２０５へ進む。
【００７９】
システム制御回路５０は、ステップＳ１２０６において、シャッタースイッチＳＷ２が押されたか否かを判定し、押されていない場合はステップＳ１２０２へ戻る。シャッタースイッチＳＷ２が押されている場合は、撮像のための処理を行う（Ｓ１２０７）。
【００８０】
ここでは、撮像素子１４から読み出した撮影画像データのうちの一部を切り出して、記録部２０２に記録するように処理する。すなわち、第１の領域に対応する画像を適正露出となる撮像条件で撮像する。前述のとおり、システム制御回路５０は予め記録領域内でのＡＥ処理を行っているため（Ｓ１２０４）、記録画像は適正露出となる。
【００８１】
システム制御回路５０は、ステップＳ１２０５において、シャッタースイッチＳＷ２が押されたか否かを判定し、押されていない場合はＳ１２０２へ戻る。シャッタースイッチＳＷ２が押されている場合は、記録部２０２に記録する画像領域内のデータを使用してＡＥ処理を行い（Ｓ１２０８）、撮影のための処理を行う（Ｓ１２０７）。このときも、予め記録領域内でのＡＥ処理が行われているため（Ｓ１２０８）、記録画像は適正露出となる。
【００８２】
このように、記録制御手段としてのシステム制御回路５０は、シャッタースイッチＳＷ２の操作（操作手段の全押し操作）に従い、第１のモードで得られた第１の領域の画像を記録部２０２に記録するように制御する。
【００８３】
ステップＳ１２０７において撮影処理が完了すると、システム制御回路５０は、ワイドビュー機能を終了するか否かを判定する（Ｓ１２０９）。終了しない場合はステップＳ１２０１へ戻り、終了する場合はワイドビュー機能を終了する。
【００８４】
前述したように、本実施例ではワイドビュー機能を用いる場合、表示領域全体に対してＡＥ処理を行う。このため、表示領域全体が最適な露出となり、周辺に対して明暗差の大きい被写体を撮影する場合でも、被写体の周辺の状況を把握しやすく表示できる。また、撮像時には記録領域に対してＡＥ処理を行うため、記録画像は適正露出となる。
【００８５】
ステップＳ１２０３において、シャッタースイッチＳＷ１が押されている状態で記録領域内での露出に変更する場合、シャッタースイッチＳＷ１が押されている状態で実際の記録画像の露出をチェックすることができる。このときの表示画像及び撮像画像の概要図を図３に示す。
【００８６】
ステップＳ１２０３において、シャッタースイッチＳＷ１が押されている状態で記録領域内での露出に変更しない場合、シャッタースイッチＳＷ１が押されている状態で被写体の周辺の状況を把握しやすく表示できる。このときの表示画像及び撮像画像の概要図を図４に示す。
【００８７】
また、ワイドビュー機能を用いる場合、被写体の周辺の状況をより把握しやすくするために、露出モードを変更しても良い。例えば、スポット測光モードで周辺に対して明暗差の大きい被写体を撮影する場合、表示画面の露出が被写体の輝度によって大きく左右され、被写体の周辺が把握しにくくなる。
【００８８】
そこで、ワイドビュー機能を用いたスポット測光モードのとき、表示領域全体のデータを使用して、評価測光モード又は中央部重点平均測光モードにてＡＥ処理を行うことができる。被写体の周辺の状況を把握しやすく表示し、撮像時には記録領域内のデータを使用してスポット測光モードにてＡＥ処理を行い、画像を記録するようにしても良い。
【００８９】
また、前述のとおり、ワイドビュー機能では、露出制御用に使用するデータとして、撮像素子１４から読み出した撮影画像データのうち表示領域全体のデータと記録領域内のデータとを切り替える。ただし、このデータは、露出制御以外のその他の制御にも適用することができる。例えば、ワイドビュー機能を用いる場合、表示領域全体のデータを使用してＷＢ処理を行い、撮像時には記録領域内のデータを使用してＷＢ処理を行って画像を記録するようにしても良い。
【００９０】
また、前述のとおり、ワイドビュー機能では、撮像素子１４から読み出した撮影画像データのうち表示領域全体のデータと記録領域内のデータとを切り替えて適切な露出に変更した。ただし、これに限定されるものではなく、例えば、露出の代わりにゲイン等の表示条件を変更するようにしても良い。すなわち、ワイドビュー機能を用いる場合、露出制御に関しては、常に記録領域内のデータを使用するようにするが、表示画面に表示する制御において、表示領域全体のデータを使用して表示データのゲインアップ／ダウンを行う。これにより、表示画面は適切な明るさで表示されるため被写体の周辺の状況を把握しやすく、記録される画像は適正露出とすることができる。
【００９１】
以上、本実施例によれば、表示画面及び記録領域のそれぞれに対して最適なモードを設定する撮像装置及び撮像装置の制御方法を提供することが可能となる。
【００９２】
本実施例では、ワイドビュー機能を用いて撮影を行う場合、ビューファインダの表示画面（表示領域の画像）に対して最適なモード（露出値、ホワイトバランス値、ゲイン値）が設定される。したがって、被写体の周辺の状況を把握しやすく表示することができる。また、本実施例では、記録領域の画像に対して最適なモード（露出値、ホワイトバランス値、ゲイン値）が設定される。したがって、被写体の良好な画像を記録することができる。
【００９３】
以上、本発明の実施例について具体的に説明した。ただし、本発明は上記実施例として記載された事項に限定されるものではなく、本発明の技術思想を逸脱しない範囲内で適宜変更が可能である。
【図面の簡単な説明】
【００９４】
【図１】本実施例における画像処理装置のブロック図である。
【図２】本実施例の撮像装置において、ワイドビュー機能を用いた場合の制御を示すフローチャートである。
【図３】本実施例の撮像装置において、ワイドビュー機能を用いて撮影した場合の概要図である。
【図４】本実施例の撮像装置において、ワイドビュー機能を用いて撮影した場合の概要図である。
【図５】従来例において、周辺領域に対して明るい被写体をワイドビュー機能を用いて撮影する場合の概要図である。
【図６】従来例において、周辺領域に対して暗い被写体をワイドビュー機能を用いて撮影する場合の概要図である。
【符号の説明】
【００９５】
１０：撮像レンズ
１２：シャッター
１４：撮像素子
１６：Ａ／Ｄ変換器
１８：タイミング発生回路
２０：画像処理回路
２２：メモリ制御回路
２４：画像表示メモリ
２６：Ｄ／Ａ変換器
２８：画像表示部
３０：メモリ
３２：画像圧縮・伸長回路
４０：露光制御手段
４２：測距制御手段
４４：ズーム制御手段
４６：バリア制御手段
４８：フラッシュ
５０：システム制御回路
５２：システムメモリ
５４：表示部
５６：不揮発性メモリ
６０：モードダイアルスイッチ
６２：シャッタースイッチＳＷ１
６４：シャッタースイッチＳＷ２
７０：操作部
８０：電源制御手段
８２、８４、９２、２０６：コネクタ
８６：電源手段
９０、２０４：インタフェース
９８：記録媒体着脱検知手段
１００：画像処理装置
１０２：保護手段
１０４：光学ファインダー
１１０：通信手段
１１２：コネクタ（アンテナ）
２００：記録媒体
２０２：記録部
【図１】
2010074569.tif 000003
【図２】
2010074569.tif 000004
【図３】
2010074569.tif 000005
【図４】
2010074569.tif 000006
【図５】
2010074569.tif 000007
【図６】
2010074569.tif 000008